(57)【要約】【課題】使用し易い患者搬送装置の自動展開収納機構を提供する。【解決手段】患者搬送装置の自動展開収納機構は、ベース１を備える。ベース１内には動力機構が設けられる。動力機構には、開閉動作を行う２つの支持杆２が連結駆動される。ベース１上には、主杆３が設けられる。主杆３の一端には、吊りスタンド杆４が対応して枢着される。主杆３と吊りスタンド杆４との間には、突き上げ機構５が設けられる。患者搬送装置には、自動制御モジュール６が設けられる。自動制御モジュール６は、動力機構及び突き上げ機構５を連結制御するとともに、起動ユニットを有する。起動ユニットは、動力機構を起動して制御し、２つの支持杆２を展開し、突き上げ機構５により吊りスタンド杆４を上昇させる。【選択図】図１
0003215690.tif 000002
【実用新案登録請求の範囲】
【請求項１】
ベースを備えた患者搬送装置の自動展開収納機構であって、
前記ベース内には動力機構が設けられ、
前記動力機構には、開閉動作を行う２つの支持杆が連結駆動され、
前記ベース上には、主杆が設けられ、
前記主杆の一端には、吊りスタンド杆が対応して枢着され、
前記主杆と前記吊りスタンド杆との間には、突き上げ機構が設けられることを特徴とする、
患者搬送装置の自動展開収納機構。
【請求項２】
前記患者搬送装置には、自動制御モジュールが設けられ、前記自動制御モジュールは、前記動力機構及び前記突き上げ機構を連結制御するとともに、起動ユニットを有し、前記起動ユニットは、前記動力機構を起動して制御し、前記２つの支持杆を展開し、前記突き上げ機構により前記吊りスタンド杆を上昇させることを特徴とする請求項１に記載の患者搬送装置の自動展開収納機構。
【請求項３】
前記自動制御モジュールは、昇降ユニット、開閉ユニット及び復位ユニットを有し、前記昇降ユニットは、前記突き上げ機構を制御して前記吊りスタンド杆の上昇又は下降を微調整するスイッチであり、前記開閉ユニットは、前記動力機構を制御して前記２つの支持杆の展開又は開閉を微調整するスイッチであり、前記復位ユニットは、前記動力機構を起動して制御し、前記２つの支持杆を収納して復位させ、前記突き上げ機構により前記吊りスタンド杆を下降させて復位させることを特徴とする請求項２に記載の患者搬送装置の自動展開収納機構。
【請求項４】
前記患者搬送装置には、リモコンモジュールが外付けされ、前記リモコンモジュールは、前記動力機構及び前記突き上げ機構を連結制御するとともに、前記２つの支持杆の開閉と、前記吊りスタンド杆の昇降とを制御することを特徴とする請求項２に記載の患者搬送装置の自動展開収納機構。
【考案の詳細な説明】
【技術分野】
【０００１】
本考案は、患者搬送装置の自動展開収納機構に関し、特に、使用し易い患者搬送装置の自動展開収納機構に関する。
【背景技術】
【０００２】
室内で治療を行う際、重症患者や身体が不自由な患者を所定の場所まで搬送するために医療従事者が患者搬送装置を利用することが一般的であった。
【０００３】
しかし、一般の患者搬送装置のベースから延びた両側のスタンドは、後端及び中間の横杆と組み立てた後、ベースに延設した２つのスタンドを縮めて内側へ収納するか延ばす場合、後ろ側に取り付けたペダルを左右へ往復揺動させて２つのスタンドの収納・伸張して変位を制御していた。
患者搬送装置を使用する際、運搬装置のスタンドを内側へ収納し、病室の入口から入って検査を行う病院用ベッドまで移動させて医療従事者がペダルを制御して左右へ往復揺動させると、運搬装置の２つの開いた状態のスタンドを徐々に内方へ収納することができ、検査を行う病院用ベッド下へ、運搬装置のベースのスタンドをスムーズに伸ばし入れ、吊りスタンドと、フックに掛けられた吊り袋と、を利用し、患者を吊上げてベッドを移動させたり、病室の入口を出入りさせたりする。医療従事者が患者を検査を行うベッドへ移動させる場合、まず、運搬装置の開いた状態の吊りスタンドを内側へ収納した後、医療従事者は、手で吊り袋内の患者を支えてベッド上で患者に臥位の姿勢をとらせることができる。
【０００４】
上述したような従来の構造は、医療従事者が吊りスタンドを手作業で制御し、ペダルを足で制御してスタンドの展開・収納などを制御しなければならなかったため、全体の操作手順が面倒で手間と時間がかかり、医療従事者の身体的負担となっていた。
そのため、ベース、吊掛装置及び制御装置を含む患者運搬架が開発され（例えば特許文献１）、ベースには、支持部が設けられる。支持部の上端には、吊掛装置を取り付ける組立部が設けられる。吊掛装置は、弧状支柱を有する。弧状支柱の底端には、ベースの支持部上端の組立部が組み立てられて結合され、弧状支柱の頂端には、枢着部が設けられる。枢着部には、吊下げバーが着脱可能に枢着される。弧状支柱の凹弧部には、下枢着座が設けられ、弧状吊下げバーの凹弧部には、上枢着座が設けられ、シリンダの両端には、弧状支柱の下枢着座と、弧状吊下げバーの上枢着座とがそれぞれ枢着される。弧状吊下げバーの前端には、吊りスタンドが着脱可能に設けられる。制御装置は、制御ユニットと電気的に接続され、制御ユニットと吊掛装置のシリンダとは電気的に接続され、制御装置は、制御ユニットによりシリンダの動作を制御する。
【０００５】
しかし、上述した構造の制御装置は、吊掛装置しか操作することができない上、ボタンにより上昇・下降を手作業で制御するため依然として操作が容易でなく、時間がかかるなどの問題点があった。
【０００６】
こうした現状に鑑み、本考案者は鋭意研究を重ねた結果、本考案の患者搬送装置の自動展開収納機構を完成させたものである。
【先行技術文献】
【特許文献】
【０００７】
【特許文献１】台湾実用新案公告第Ｍ５５２８０７号公報
【考案の概要】
【考案が解決しようとする課題】
【０００８】
本考案の目的は、使用し易い患者搬送装置の自動展開収納機構を提供することにある。
【課題を解決するための手段】
【０００９】
上記課題を解決するために、本考案の第１の形態によれば、ベースを備えた患者搬送装置の自動展開収納機構であって、前記ベース内には動力機構が設けられ、前記動力機構には、開閉動作を行う２つの支持杆が連結駆動され、前記ベース上には、主杆が設けられ、前記主杆の一端には、吊りスタンド杆が対応して枢着され、前記主杆と前記吊りスタンド杆との間には、突き上げ機構が設けられることを特徴とする患者搬送装置の自動展開収納機構を提供する。
【００１０】
前記患者搬送装置には、自動制御モジュールが設けられ、前記自動制御モジュールは、前記動力機構及び前記突き上げ機構を連結制御するとともに、起動ユニットを有し、前記起動ユニットは、前記動力機構を起動して制御し、前記２つの支持杆を展開し、前記突き上げ機構により前記吊りスタンド杆を上昇させることが好ましい。
【００１１】
前記自動制御モジュールは、昇降ユニット、開閉ユニット及び復位ユニットを有し、前記昇降ユニットは、前記突き上げ機構を制御して前記吊りスタンド杆の上昇又は下降を微調整するスイッチであり、前記開閉ユニットは、前記動力機構を制御して前記２つの支持杆の展開又は開閉を微調整するスイッチであり、前記復位ユニットは、前記動力機構を起動して制御し、前記２つの支持杆を収納して復位させ、前記突き上げ機構により前記吊りスタンド杆を下降させて復位させることが好ましい。
【００１２】
前記患者搬送装置には、リモコンモジュールが外付けされ、前記リモコンモジュールは、前記動力機構及び前記突き上げ機構を連結制御するとともに、前記２つの支持杆の開閉と、前記吊りスタンド杆の昇降とを制御することが好ましい。
【図面の簡単な説明】
【００１３】
【図１】本考案の一実施形態に係る患者搬送装置の自動展開収納機構を示す斜視図である。
【図２】本考案の一実施形態に係る患者搬送装置の自動展開収納機構のベースを示す斜視図である。
【図３】本考案の一実施形態に係る患者搬送装置の自動展開収納機構の自動制御モジュールを示す模式図である。
【図４】本考案の一実施形態に係る患者搬送装置の自動展開収納機構を展開して上昇させた状態を示す斜視図である。
【図５】本考案の一実施形態に係る患者搬送装置の自動展開収納機構の吊掛バーの昇降状態を示す説明図である。
【図６】本考案の一実施形態に係る患者搬送装置の自動展開収納機構の支持杆を展開した状態の説明図である。
【図７】本考案の一実施形態に係る患者搬送装置の自動展開収納機構の支持杆を収納した状態の説明図である。
【考案を実施するための形態】
【００１４】
本考案の技術手段、目的及びそれにより達成可能な効果を、より完全かつ明白に開示するために、開示した添付の図面及び符号と併せて本考案を以下に詳説する。
【００１５】
まず、図１〜図４を参照する。図１〜図４に示すように、本考案の一実施形態に係る患者搬送装置の自動展開収納機構は、主にベース１から構成されてなる。
上述したベース１内には動力機構１０が設けられる。上述した動力機構１０は、開閉動作を行う２つの支持杆２を連結駆動し、上述したベース１上には、主杆３が設けられる。上述した主杆３の一端には、吊りスタンド杆４が対応して枢着される。上述した主杆３と上述した吊りスタンド杆４との間には、突き上げ機構５が設けられる。
【００１６】
上述した患者搬送装置には、自動制御モジュール６が設けられる。上述した自動制御モジュール６は、上述した動力機構１０及び上述した突き上げ機構５を連結制御する。上述した自動制御モジュール６は、起動ユニット６１を含む。上述した起動ユニット６１は、上述した動力機構１０を起動して制御し、上述した２つの支持杆２を展開し、上述した突き上げ機構５により上述した吊りスタンド杆４を上昇させる。
【００１７】
また、上述した患者搬送装置の自動展開収納機構の自動制御モジュール６は、起動ユニット６１を有する他、昇降ユニット６２及び開閉ユニット６３を有する。上述した昇降ユニット６２は、突き上げ機構５を制御して上述した吊りスタンド杆４の上昇又は下降を微調整する。
上述した開閉ユニット６３は、上述した動力機構１０を制御して上述した２つの支持杆２の展開又は開閉を微調整する。また、上述した自動制御モジュール６は、復位ユニット６４をさらに含む。上述した復位ユニット６４は、上述した動力機構１０を起動して制御し、上述した２つの支持杆２を収納して復位させ、上述した突き上げ機構５により上述した吊りスタンド杆４を下降させて復位させる。
【００１８】
図１〜図７を参照する。図１〜図７に示すように、実際に使用する際、上述した患者搬送装置の自動展開収納機構を収納された状態でベッドまで押動して搬送を行う。
上述した自動制御モジュール６は、主に主杆３上に設置され（操作し易い位置に設置してもよい）、上述した自動制御モジュール６の起動ユニット６１を押圧した後、上述した起動ユニット６１により、上述した動力機構１０及び上述した突き上げ機構５の作動を制御して起動し、上述した動力機構１０を上述した２つの支持杆２を開くように支え、適宜な展開角度まで展開し（設定可能である）、上述した突き上げ機構５により上述した吊りスタンド杆４を所定の高さになるまで徐々に上昇させる（設定可能である）。上述した２つの支持杆２及び上述した吊りスタンド杆４を変位させる前後の順番はこれだけに限定されるわけではなく、上述した患者搬送装置を安定させて同時に動作させてもよい。
【００１９】
上述した患者搬送装置をベッドに隣接するように押し入れ、上述した２つの支持杆２をベッド底に嵌入させる。しかし、上述した２つの支持杆２の展開角度が大きすぎてベッド底に嵌入させることができないか、重心が小さすぎて不安定となるとき、上述した開閉ユニット６３を押圧すると、上述した２つの支持杆２の展開又は収納の角度を対応するように微調整（漸次的）し、ニーズを満たすことができる。
病人を吊掛するとき、上述した吊りスタンド杆４の高さが不適切である場合、上述した昇降ユニット６２を押圧し、上述した吊りスタンド杆４の昇降高さを対応して微調整（漸次的）し、病人の吊掛のニーズを満たすことができる。
【００２０】
吊掛動作を終了した後、上述した復位ユニット６４を押圧し、上述した復位ユニット６４を利用し、動力機構１０を起動して制御し、上述した２つの支持杆２を収納して復位させるとともに、上述した突き上げ機構５を制御して吊りスタンド杆４を下降復位させ、上述した２つの支持杆２及び上述した吊りスタンド杆４を元の場所へ回復させて収納する。
【００２１】
病院、病室の空間問題に鑑み、上述した患者搬送装置にリモコンモジュール７を外付けしてもよい。上述したリモコンモジュール７は、有線又は無線により、上述した動力機構１０及び上述した突き上げ機構５と連結制御されるとともに、上述した２つの支持杆２の開閉と、上述した吊りスタンド杆４の昇降とを制御して微調整する。
【００２２】
上述したことから分かるように、本考案の患者搬送装置の自動展開収納機構は、従来技術と比べ、以下（１）及び（２）の長所を有する。
（１）全面的に自動制御し、医療従事者は多くの体力を使わずにペダルで調整することができるため、時間を短縮して手間を省くことができる上、操作し易い。
（２）微調整メカニズムを様々なタイプ、高さ、重量の病人に適用し、容易かつ安定的に使用することができる。
【符号の説明】
【００２３】
１    ベース
２    支持杆
３    主杆
４    吊りスタンド杆
５    突き上げ機構
６    自動制御モジュール
７    リモコンモジュール
１０  動力機構
６１  起動ユニット
６２  昇降ユニット
６３  開閉ユニット
６４  復位ユニット
【図１】
0003215690.tif 000003
【図２】
0003215690.tif 000004
【図３】
0003215690.tif 000005
【図４】
0003215690.tif 000006
【図５】
0003215690.tif 000007
【図６】
0003215690.tif 000008
【図７】
0003215690.tif 000009